(57)【要約】  ＤＨＣＰを利用したハンドオーバー情報の検索及び獲得方法及び装置を提供する。ハンドオーバー情報の検索及び獲得方法は、ハンドオーバー情報を提供できる情報サーバーの位置情報をＤＨＣＰサーバーから受信するステップと、位置情報を利用して情報サーバーに接近するステップと、情報サーバーからハンドオーバー情報を受信するステップと、を含む。ＤＨＣＰを利用してハンドオーバー情報を提供できる情報サーバーの位置情報を受信し、位置情報を利用して情報サーバーからハンドオーバー情報を受信することにより、ハンドオーバー情報を速くて効率的に検索して獲得することができる。
2009542036.tif 000002
【特許請求の範囲】
【請求項１】
ハンドオーバー情報を検索して獲得する方法において、
前記ハンドオーバー情報を提供できる情報サーバーの位置情報を動的ホスト設定プロトコル（Ｄｙｎａｍｉｃ  Ｈｏｓｔ  Ｃｏｎｆｉｇｕｒａｔｉｏｎ  Ｐｒｏｔｏｃｏｌ：ＤＨＣＰ）サーバーから受信するステップと、
前記位置情報を利用して前記情報サーバーに接近するステップと、
前記情報サーバーから前記ハンドオーバー情報を受信するステップと、を含むことを特徴とするハンドオーバー情報の検索及び獲得方法。
【請求項２】
前記位置情報を受信するステップは、
ＤＨＣＰメッセージのオプション機能を利用するステップを含むことを特徴とする請求項１に記載の方法。
【請求項３】
前記ＤＨＣＰメッセージのオプション機能を利用するステップは、
前記位置情報を含まない位置発見オプションをＤＨＣＰメッセージに追加するステップと、
前記ＤＨＣＰメッセージを前記ＤＨＣＰサーバーへ伝送して前記位置情報を要請するステップと、
前記位置発見オプションと前記位置情報とを含む応答ＤＨＣＰメッセージを受信するステップと、
前記応答ＤＨＣＰメッセージを分析して前記位置情報を抽出するステップと、を含むことを特徴とする請求項２に記載の方法。
【請求項４】
前記位置発見オプションは、
前記位置発見オプションのコードを表すフィールドと、
前記位置発見オプションの長さを表すフィールドと、
前記応答ＤＨＣＰメッセージ内の位置情報を表すフィールドと、を備えることを特徴とする請求項３に記載の方法。
【請求項５】
前記位置情報は、前記情報サーバーのインターネットプロトコル（Ｉｎｔｅｒｎｅｔ  Ｐｒｏｔｏｃｏｌ：ＩＰ）アドレスを含むことを特徴とする請求項１に記載の方法。
【請求項６】
前記情報サーバーのＩＰアドレスは、インターネットプロトコルバージョン６（ＩＰｖ６）形式を有することを特徴とする請求項５に記載の方法。
【請求項７】
前記位置情報は、前記情報サーバーの全体アドレスドメイン名称（Ｆｕｌｌｙ  Ｑｕａｌｉｆｉｅｄ  Ｄｏｍａｉｎ  Ｎａｍｅ：ＦＱＤＮ）を含むことを特徴とする請求項１に記載の方法。
【請求項８】
前記位置情報は、前記ハンドオーバー情報に対する均一資源識別子（Ｕｎｉｆｏｒｍ  Ｒｅｓｏｕｒｃｅ  Ｉｄｅｎｔｉｆｉｅｒ：ＵＲＩ）を含むことを特徴とする請求項１に記載の方法。
【請求項９】
前記位置情報は、前記ハンドオーバー情報に対するＩＲＩ（Ｉｎｔｅｒｎａｔｉｏｎａｌｉｚｅｄ  Ｒｅｓｏｕｒｃｅ  Ｉｄｅｎｔｉｆｉｅｒ）を含むことを特徴とする請求項１に記載の方法。
【請求項１０】
ハンドオーバー情報を検索して獲得する装置において、
前記ハンドオーバー情報を提供する情報サーバーの位置情報をＤＨＣＰサーバーから受信する情報受信部と、
前記位置情報を利用して前記情報サーバーに接近する接近部と、
前記情報サーバーから前記ハンドオーバー情報を受信するハンドオーバー情報受信部と、を備えることを特徴とする装置。
【請求項１１】
前記情報受信部は、ＤＨＣＰメッセージのオプション機能を利用して前記位置情報を伝達されることを特徴とする請求項１０に記載の装置。
【請求項１２】
前記情報受信部は、
前記位置情報を含まない位置発見オプションをＤＨＣＰメッセージに追加するオプション追加部と、
前記ＤＨＣＰメッセージを前記ＤＨＣＰサーバーへ伝送して前記位置情報を要請するＤＨＣＰメッセージ伝送部と、
前記ＤＨＣＰサーバーから前記位置発見オプション及び位置情報を含む応答ＤＨＣＰメッセージを受信するＤＨＣＰメッセージ受信部と、
前記応答ＤＨＣＰメッセージを分析して前記位置情報を抽出するＤＨＣＰメッセージ分析部と、を備えることを特徴とする請求項１１に記載の装置。
【請求項１３】
前記位置発見オプションは、
前記位置発見オプションのコードを表すフィールドと、
前記位置発見オプションの長さを提供するフィールドと、
前記応答ＤＨＣＰメッセージ内の位置情報を含むフィールドと、を備えることを特徴とする請求項１２に記載の装置。
【請求項１４】
前記位置情報は、前記情報サーバーのＩＰアドレスを含むことを特徴とする請求項１０に記載の装置。
【請求項１５】
前記情報サーバーのＩＰアドレスは、インターネットプロトコルバージョン６（ＩＰｖ６）形式であることを特徴とする請求項１４に記載の装置。
【請求項１６】
前記位置情報は、前記情報サーバーのＦＱＤＮを含むことを特徴とする請求項１０に記載の装置。
【請求項１７】
前記位置情報は、前記ハンドオーバー情報に対するＵＲＩを含むことを特徴とする請求項１０に記載の装置。
【請求項１８】
前記位置情報は、前記ハンドオーバー情報に対するＩＲＩを含むことを特徴とする請求項１０に記載の装置。
【請求項１９】
ハンドオーバー情報を提供できる情報サーバーの位置情報をＤＨＣＰサーバーから受信するステップと、
前記位置情報を利用して前記情報サーバーに接近するステップと、
前記情報サーバーから前記ハンドオーバー情報を受信するステップと、をコンピュータで実行させるためのプログラムを記録したコンピュータで読み取り可能な媒体。
【請求項２０】
前記位置情報は、インターネットプロトコルバージョン６（ＩＰｖ６）形式を有する情報サーバーのＩＰアドレスを含むことを特徴とする請求項１９に記載のコンピュータで読み取り可能な媒体。
【発明の詳細な説明】
【技術分野】
【０００１】
本発明は、移動通信に係り、特にＤＨＣＰ（Ｄｙｎａｍｉｃ  Ｈｏｓｔ  Ｃｏｎｆｉｇｕｒａｔｉｏｎ  Ｐｒｏｔｏｃｏｌ）を利用してハンドオーバー情報を検索して獲得する方法及び装置に関する。
【背景技術】
【０００２】
移動通信でのハンドオーバーとは、モバイルノード（Ｍｏｂｉｌｅ  Ｎｏｄｅ：ＭＮ）、すなわち移動ノードが移動中にも現在使用中のサービスを提供され続けるようにする技術である。ハンドオーバーを行うためには、モバイルノードが移動した新たなネットワークについての情報が必要であるが、それをハンドオーバー情報という。
【０００３】
ハンドオーバーを速くて効率的に行うためには、ハンドオーバー情報を速くて効率的に検索して獲得することが要求される。
【発明の開示】
【発明が解決しようとする課題】
【０００４】
本発明が解決しようとする課題は、ハンドオーバー情報を速くて効率的に検索して獲得する方法及び装置を提供するところにある。
【０００５】
本発明が解決しようとする他の課題は、前記ハンドオーバー情報の検索及び獲得方法をコンピュータで実行させるためのプログラムを記録したコンピュータで読み取り可能な記録媒体を提供するところにある。
【課題を解決するための手段】
【０００６】
前記課題を解決するためのハンドオーバー情報の検索及び獲得方法は、前記ハンドオーバー情報を提供する情報サーバーの位置情報をＤＨＣＰサーバーから受信するステップと、前記情報サーバーの位置情報を利用して前記情報サーバーに接近するステップと、前記情報サーバーから前記ハンドオーバー情報を受信するステップと、を含むことが望ましい。
【０００７】
前記課題を解決するためのハンドオーバー情報の検索及び獲得装置は、前記ハンドオーバー情報を提供する情報サーバーの位置情報をＤＨＣＰサーバーから受信する情報サーバー位置情報受信部と、前記情報サーバーの位置情報を利用して前記情報サーバーに接近する情報サーバー接近部と、前記情報サーバーから前記ハンドオーバー情報を受信するハンドオーバー情報受信部と、を備えることが望ましい。
【０００８】
前記他の課題を解決するためのコンピュータで実行させるためのプログラムを記録したコンピュータで読み取り可能な媒体は、ハンドオーバー情報を提供できる情報サーバーの位置情報をＤＨＣＰサーバーから受信するステップと、前記位置情報を利用して前記情報サーバーに接近するステップと、前記情報サーバーから前記ハンドオーバー情報を受信するステップと、を含むことが望ましい。
【発明の効果】
【０００９】
本発明によるハンドオーバー情報の検索及び獲得方法及び装置によれば、ＤＨＣＰを利用してハンドオーバー情報を提供する情報サーバーの位置情報を受信し、それを利用して情報サーバーからハンドオーバー情報を受信することにより、ハンドオーバー情報を速くて効率的に検索して獲得することができる。
【発明を実施するための最良の形態】
【００１０】
以下、添付された図面を参照して、本発明によるハンドオーバー情報の検索及び獲得方法及び装置について詳細に説明する。
【００１１】
図１は、本発明の一実施形態によるハンドオーバー情報の検索及び獲得装置１００の構成を示すブロック図である。図１に示すように、本発明によるハンドオーバー情報の検索及び獲得装置１００は、情報受信部１１０、接近部１２０及びハンドオーバー情報受信部１３０を備えることが望ましい。
【００１２】
また、情報受信部１１０は、オプション追加部１１２、ＤＨＣＰメッセージ伝送部１１４、ＤＨＣＰメッセージ受信部１１６及びＤＨＣＰメッセージ分析部１１８を備えることが望ましい。
【００１３】
本発明によるハンドオーバー情報の検索及び獲得装置１００は、（図２に示したモバイルノード１のような）モバイルノードのハンドオーバーに必要な情報を検索して獲得してモバイルノードに提供する装置であって、モバイルノードの一部分として含まれる。
【００１４】
図２は、本発明の一実施形態によるハンドオーバー情報の検索及び獲得が行われる移動通信環境４００を示す図である。図２に示すように、本発明による移動通信環境４００は、移動ノード１、ＤＨＣＰサーバー２，３、対応ノード４、情報サーバー５，６、ネットワーク領域７，８及び複数のネットワークから構成される。
【００１５】
図２に示した移動通信環境４００でのネットワークトポロジーは、一実施形態だけであり、当業者ならば、これと異なる多様なトポロジーで構成されることを理解できるであろう。
【００１６】
移動ノード１は、移動通信環境４００を利用する移動端末であり、例えば、携帯電話、ＰＤＡ（Ｐｅｒｓｏｎａｌ  Ｄｉｇｉｔａｌ  Ａｓｓｉｓｔａｎｔ）または他の携帯用装置となりうる。前記移動通信環境４００に最初に進入するか、または移動通信を利用し始めるとき、移動ノード１は、ホームネットワーク上のホームエージェントにホームアドレス（Ｈｏｍｅ  Ａｄｄｒｅｓｓ：ＨｏＡ）を登録する。移動ノード１が他のネットワーク領域に移動するとき（例えば、ネットワーク領域７からネットワーク領域８に移動するとき）、移動しようとするネットワーク領域上のエージェントである外部エージェントは、移動ノード１に補助アドレス（Ｃａｒｅ−ｏｆＡｄｄｒｅｓｓ：ＣｏＡ）を指定する。移動ノード１は、ＣｏＡを獲得し、ホームエージェントに送って登録する。ホームエージェントは、ＣｏＡとＨｏＡとを対応させ、以後、対応ノード４でＨｏＡへのデータ伝送がある場合、データをＣｏＡへ伝送する。これにより、移動ノード１は、新たなネットワーク領域８に移動した時にも対応ノード４からデータ伝送を受信し続けることができる。
【００１７】
新たなネットワーク領域８に移動する前に、移動ノード１は、現在のネットワーク領域７に位置した連結地点（Ｐｏｉｎｔ  ｏｆ  Ａｔｔａｃｈｍｅｎｔ：ＰｏＡ）を通じてネットワークと連結する。ＰｏＡとは、移動ノード１と現在のネットワークとの間にデータを伝送する装置である。かかるＰｏＡの例としては、アクセスポイント（Ａｃｃｅｓｓ  Ｐｏｉｎｔ：ＡＰ）、基地局などがある。しかし、本発明は、これに限定されず、移動ノード１とネットワークとの間のデータ伝送を行うものであれば、ＰｏＡとなりうる。図２では、ＤＨＣＰサーバー２，３が対応するネットワーク領域７，８でのそれぞれのＰｏＡとなりうる。
【００１８】
移動ノード１が前記新たなネットワーク領域８に移動するとき、ハンドオーバーが行われる。移動ノード１が現在のネットワーク領域７から新たなネットワーク領域８へのハンドオーバーを行うためには、新たなネットワークについての情報が必要である。かかる情報をハンドオーバー情報という。図２では、移動ノード１がネットワーク領域７から新たなネットワーク領域８に移動する例を示している。ネットワーク領域８では、ＤＨＣＰサーバー３をＰｏＡとして使用してデータ通信が行われる。ネットワーク領域７では、ＤＨＣＰサーバー２をＰｏＡとして使用してデータ通信が行われる。
【００１９】
移動ノード１が新たなネットワーク領域８に移動する前に、移動ノード１は、ネットワーク領域７でのＤＨＣＰサーバー２  ＰｏＡから新たなネットワーク領域８についての情報を受信する。かかる情報は、ハンドオーバー情報の一例であって、情報サーバー５，６から伝達される。移動ノード１は、新たなネットワーク領域８でいかなるネットワークプロトコルを使用するかのような新たなネットワーク領域８でのネットワークに関する情報を獲得し、受信した情報に基づいてハンドオーバーを行える。
【００２０】
図３は、本発明の一実施形態による移動ノードのネットワーク階層を示す図である。図３に示すように、本発明による移動ノードのネットワーク階層は、下位階層１０、ハンドオーバー機能階層２０及び上位階層３０を備える。
【００２１】
下位階層１０は、ＯＳＩ（Ｏｐｅｎ  Ｓｙｓｔｅｍｓ  Ｉｎｔｅｒｃｏｎｎｅｃｔｉｏｎ）参照モデルにより定義された７階層のうち、第１階層及び第２階層（リンク階層及び物理階層）を意味する。
【００２２】
上位階層３０は、ＯＳＩ参照モデルにより定義された７階層のうち、第３階層ないし第７階層（インターネットプロトコル（Ｉｎｔｅｒｎｅｔ  Ｐｒｏｔｏｃｏｌ：ＩＰ）階層、モバイルＩＰ階層、伝送階層、セッション階層、プレゼンテーション階層及びアプリケーション階層）を意味する。
【００２３】
ハンドオーバー機能階層２０は、下位階層１０と上位階層３０との間の中間第２．５階層に対応し、下位階層１０及び上位階層３０でのハンドオーバーを支援する。
【００２４】
ハンドオーバー機能階層２０は、下位階層１０のリンクインターフェースのタイプに独立的に相異なるタイプのリンク間のハンドオーバーを支援する。相異なるタイプのリンク間のハンドオーバーを行うために、ハンドオーバー機能階層２０は、イベントサービスモジュール２２、情報サービスモジュール２４及び命令サービスモジュール２６を備えることが望ましい。
【００２５】
図２及び図３に示すように、イベントサービスモジュール２２は、図２に示した移動ノード１で発生する多様なリンク間のハンドオーバーと関連したイベントを検出し、上位階層３０にイベントを報告する。情報サービスモジュール２４は、図２に示した情報サーバー５，６からハンドオーバー情報を獲得する。命令サービスモジュール２６は、上位階層３０からユーザーが入力した命令を伝達されて、下位階層１０でのハンドオーバーを制御する。
【００２６】
本発明による移動ノード１は、移動しようとする新たなネットワーク領域８についてのハンドオーバー情報を図２に示した情報サーバー５，６から伝達される。移動ノード１は、本発明の一実施形態によるハンドオーバー情報の検索及び獲得装置により移動しようとする新たなネットワーク領域８についてのハンドオーバー情報を有する情報サーバーの位置情報が分かる。
【００２７】
図４は、本発明の一実施形態によるハンドオーバー情報の検索及び獲得方法を示すフローチャートである。
【００２８】
図１、図２及び図４に示すように、モバイルノードが新たなネットワーク領域８に移動すれば、まず、ＤＨＣＰサーバー２に接近して情報サーバー６の位置情報を受信する（Ｓ１００）。このステップＳ１００は、図１の情報受信部１１０で行われる。情報サーバー６は、移動ノード１にハンドオーバー情報を提供するサーバーである。本実施形態において、モバイルノード１は、ＤＨＣＰクライアントとなる。
【００２９】
ＤＨＣＰサーバー２から受信した情報サーバー６の位置情報は、図１に示した接近部１２０に伝達される。
【００３０】
接近部１２０は、情報サーバー６の位置情報を利用して情報サーバー６に接近して、情報サーバー６にハンドオーバー情報を要請する（Ｓ１１０）。
【００３１】
情報サーバー６がハンドオーバー情報を伝送すれば、ハンドオーバー情報受信部１３０は、情報サーバー６からハンドオーバー情報を受信する（Ｓ１２０）。次いで、モバイルノード１は、受信したハンドオーバー情報を利用してハンドオーバーを行える。
【００３２】
図１に示した情報受信部１１０は、ＤＨＣＰメッセージのオプション機能を利用して情報サーバーの位置情報を伝達されることが望ましい。図５を参照して、ＤＨＣＰメッセージのオプション機能について説明する。
【００３３】
図５は、本発明の一実施形態によるＤＨＣＰメッセージ２００を示す図である。本発明によるＤＨＣＰメッセージ２００は、ＯＰコード、ハードウェアタイプ、ハードウェアアドレス長、ホップカウントなどの色々な項目を含む。図２に示したＤＨＣＰサーバー２のようなＤＨＣＰサーバー、及び図２に示した移動ノード１のようなＤＨＣＰクライアントは、かかるＤＨＣＰメッセージ２００の送受信によりＤＨＣＰ過程を行う。
【００３４】
ＤＨＣＰメッセージ２００は、ＤＨＣＰオプション２１０を含む。ＤＨＣＰオプション２１０は、特定な機能に関連した内容を含む。例えば、移動ノード１  ＤＨＣＰクライアントがホスト設定ステップで必要な情報を要請する値をＤＨＣＰオプションに追加してＤＨＣＰサーバー２に送れば、ＤＨＣＰサーバー２は、該当する情報をＤＨＣＰオプションの対応する位置に追加して、結果物であるＤＨＣＰメッセージを移動ノード１  ＤＨＣＰクライアントへ伝送する。移動ノード１  ＤＨＣＰクライアントは、応答ＤＨＣＰメッセージから所望の情報を抽出してホスト設定に利用できる。
【００３５】
本発明の現在の実施形態では、かかるＤＨＣＰのオプション機能を利用して情報サーバーの位置情報をＤＨＣＰサーバー２から伝達される。
【００３６】
ＤＨＣＰのオプション機能を利用して、ハンドオーバー情報を提供できる情報サーバーの位置情報を伝達する過程について、図６を参照して説明する。図６は、本発明の一実施形態による位置情報の受信過程を示すフローチャートである。
【００３７】
本発明による位置情報の受信過程では、位置情報をＤＨＣＰサーバーから伝達されるために位置発見オプションというオプションを使用する。
【００３８】
図２に示した移動ノード１のようなＤＨＣＰクライアントは、図２に示したＤＨＣＰサーバー２のようなＤＨＣＰサーバーへＤＨＣＰメッセージを伝送する。ＤＨＣＰメッセージには、位置発見オプションが空いている状態になっている。空いている状態のオプションを有するＤＨＣＰメッセージは、そのオプションを他のオプションと識別するためのオプションコード、及び空いている状態を表す０の値を有するオプション長のみを含む。空いている状態の位置発見オプションを有するＤＨＣＰメッセージは、オプションコード及びオプション長以外にはいかなるデータも伝送しない。オプションに対して空いている状態を有するＤＨＣＰメッセージを伝送することによって、移動ノード１（ＤＨＣＰクライアント）は、空いている状態オプションに対応する値を要請する。
【００３９】
情報サーバーの位置情報をＤＨＣＰサーバーから伝達されるために、まず、（図１に示した）オプション追加部１１２は、情報サーバーの位置情報を含まない（すなわち、空いている状態の）位置発見オプションをＤＨＣＰメッセージに追加する（Ｓ２００）。
【００４０】
ＤＨＣＰメッセージ伝送部１１４は、位置発見オプションを含むＤＨＣＰメッセージをＤＨＣＰサーバーへ伝送して、情報サーバーの位置情報を要請する（Ｓ２１０）。
【００４１】
ＤＨＣＰサーバー２は、移動ノード１（ＤＨＣＰクライアント）からのＤＨＣＰメッセージを処理する間に、位置発見オプションを発見すれば、移動ノード１（ＤＨＣＰクライアント）が、移動ノード１にハンドオーバー情報を提供できる情報サーバー６の位置情報を要請することが分かる。これに対応して、ＤＨＣＰサーバー２は、位置情報を位置発見オプションに追加し、位置発見オプションを含むＤＨＣＰメッセージをモバイルノード１（ＤＨＣＰクライアント）へ伝送する。
【００４２】
（図１に示した）ＤＨＣＰメッセージ受信部１１６は、ＤＨＣＰサーバーから伝送された、位置発見オプション及び情報サーバーの位置情報を含むＤＨＣＰメッセージを受信する（Ｓ２２０）。
【００４３】
ＤＨＣＰメッセージ分析部１１８は、位置発見オプションから情報サーバーの位置情報を抽出する（Ｓ２３０）。
【００４４】
図７は、本発明の一実施形態による位置発見オプションを示す図である。図７に示すように、本発明による位置発見オプション３００は、オプションのコードを表すフィールド３１０、オプションの長さを表すフィールド３２０及び位置情報サブオプションを含むフィールド３３０を備える。
【００４５】
オプションコードフィールド３１０は、実施形態によって多様な値を有しうる。
【００４６】
オプション長フィールド３２０は、位置情報サブオプション３３０の長さを表す。したがって、位置情報サブオプション３３０が空いている状態である場合、オプション長フィールド３２０は、空いている値を有する。本発明の一態様において、オプション長フィールド３２０は、情報サーバー位置情報サブオプションの長さをバイト単位で表す。
【００４７】
位置情報サブオプション３３０は、情報サーバーの位置情報を含む。
【００４８】
情報サーバーの位置情報をサブオプションで表す理由は、情報サーバーの位置情報が単一な種類の値を有するものではなく、色々な形態の値を有するためである。すなわち、情報サーバー位置情報サブオプション３３０は、それ自体で色々なフィールドを有するオプションの形態を有するが、図８にその例が示されている。
【００４９】
図８は、図７に示した位置情報サブオプション３３０の一例を示す図である。図８に示すように、本発明による位置情報サブオプション３３０は、サブオプションのコードを表すフィールド３３２、サブオプションの長さを表すフィールド３３４及び情報サーバー位置情報を含むフィールド３３６を備える。
【００５０】
本発明による位置情報は、情報サーバーのＩＰアドレス、情報サーバーのＩＰバージョン６（Ｉｐｖ６）アドレス、情報サーバーの全体アドレスドメイン名称（Ｆｕｌｌｙ  Ｑｕａｌｉｆｉｅｄ  Ｄｏｍａｉｎ  Ｎａｍｅ：ＦＱＤＮ）、サーバーの均一資源識別子（Ｕｎｉｆｏｒｍ  Ｒｅｓｏｕｒｃｅ  Ｉｄｅｎｔｉｆｉｅｒ：ＵＲＩ）またはサーバーのＩＲＩ（Ｉｎｔｅｒｎａｔｉｏｎａｌｉｚｅｄ  ＲｅｓｏｕｒｃｅＩｄｅｎｔｉｆｉｅｒ）などの色々な他のフォーマットで表す。
【００５１】
本発明の一実施形態において、情報サーバーの位置情報を情報サーバーのＩＰアドレスで表す場合、サブオプションコードフィールド３３２は、１の値を有する。情報サーバーの位置情報を情報サーバーのＦＱＤＮで表す場合、サブオプションコードフィールド３３２は、２の値を有する。情報サーバーの位置情報をハンドオーバー情報に対するＵＲＩで表す場合、サブオプションコードフィールド３３２は、３の値を有し、他のフォーマットに対しても同じ方式で表す。したがって、サブオプションコードフィールド３３２の値は、フィールド３３６に含まれた位置情報のフォーマットを表す。
【００５２】
サブオプション長フィールド３３４は、情報サーバーの位置情報を含むフィールド３３６の長さを表す。本発明の一実施形態において、サブオプション長フィールド３３４は、情報サーバー位置情報フィールド３３６の長さをバイト単位で表す。
【００５３】
新たなネットワーク領域でのハンドオーバー情報に対する情報サーバーは、複数個でもありうるので、情報サーバーの位置を表すフィールド３３６は、複数個の値を有する。
【００５４】
情報サーバーの位置情報が情報サーバーのＩＰアドレスで表現される場合は、図８の例のように‘１２３．１２３．１２３．１２３’のような４バイトの数字データ（ＩＰバージョン４である場合）、または１６バイトの数字データ（ＩＰバージョン６である場合）を有する。
【００５５】
情報サーバーの位置情報が情報サーバーのＦＱＤＮで表現される場合には、例えば“ｈｔｔｐ：／／ｉｎｆｏｒｍａｔｉｏｎ＿ｓｅｒｖｅｒ．ｄｏｍａｉｎ．ｃｏｍ”のような値を有する。
【００５６】
情報サーバーの位置情報がハンドオーバー情報に対するＵＲＩ値で表現される場合は、所望のハンドオーバー情報が特定な情報サーバーにのみ保存されている場合に使われる。
【００５７】
ＵＲＩは、ＵＲＬ（Ｕｎｉｆｏｒｍ  Ｒｅｓｏｕｒｃｅ  Ｌｏｃａｔｏｒ）及びＵＲＮ（Ｕｎｉｆｏｒｍ  Ｒｅｓｏｕｒｃｅ  Ｎａｍｅ）を含む概念である。
【００５８】
例えば、ハンドオーバー情報ａが情報サーバーｉｎｆｏ＿ｓｅｒｖｅｒに保存されており、情報サーバーｉｎｆｏ＿ｓｅｒｖｅｒは、自身のＩＰアドレスとして１２３．１２３．１２３．１２３の値を有する場合を仮定するとき、ハンドオーバー情報ａに対する情報サーバーの位置は、“ａ：ｉｎｆｏ＿ｓｅｒｖｅｒ：１２３．１２３．１２３．１２３”のような値を有する。ＩＲＩにより表現される位置情報は、ＵＲＩ値で表現された位置情報と類似した方式で処理されるが、ＩＲＩ表現がデータに対してさらに広範囲なキャラクタセットを許容する。
【００５９】
本発明は、コンピュータで読み取り可能な記録媒体にコンピュータ（情報処理機能を有する装置をいずれも含む）で読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録装置の例としては、ＲＯＭ、ＲＡＭ、ＣＤ−ＲＯＭ、磁気テープ、フロッピー（登録商標）ディスク、光データ保存装置などがある。
【００６０】
たとえ前記説明が多様な実施形態に適用される本発明の新規な特徴に焦点を合わせて説明されたとしても、当業者は、本発明の範囲を逸脱せずにも前記説明された装置及び方法の形態及び細部事項で多様な削除、代替及び変更が可能であるということを理解できるであろう。したがって、本発明の範囲は、前記説明よりは特許請求の範囲により定義される。特許請求の範囲の均等な範囲内のあらゆる変形は、本発明の範囲に含まれる。
【図面の簡単な説明】
【００６１】
【図１】本発明の一実施形態によるハンドオーバー情報の検索及び獲得装置の構成を示すブロック図である。
【図２】本発明の一実施形態によるハンドオーバー情報の検索が行われる移動通信環境を示す図である。
【図３】本発明の一実施形態による移動ノードのネットワーク階層を示す図である。
【図４】本発明の一実施形態によるハンドオーバー情報の検索及び獲得方法を示すフローチャートである。
【図５】本発明の一実施形態によるＤＨＣＰメッセージを示す図である。
【図６】本発明の一実施形態による情報サーバー位置情報の受信過程を示すフローチャートである。
【図７】本発明の一実施形態による情報サーバー位置発見オプションを示す図である。
【図８】本発明の一実施形態による情報サーバー位置情報サブオプションを示す図である。
【図１】
2009542036.tif 000003
【図２】
2009542036.tif 000004
【図３】
2009542036.tif 000005
【図４】
2009542036.tif 000006
【図５】
2009542036.tif 000007
【図６】
2009542036.tif 000008
【図７】
2009542036.tif 000009
【図８】
2009542036.tif 000010
【国際調査報告】
2009542036.tif 000011
2009542036.tif 000012